(57)【要約】【課題】従来は高解像度ラインセンサを用いて映画フィルムの光像をディジタル映像信号として得るため、撮像に長時間必要であり、映画フィルムの固定を長時間行わなければならない。【解決手段】フィルム映写装置１は、映画フィルムに光を照射し、その映画フィルムの各駒の光像を形成する。撮像装置２は、映画フィルムの各駒の光像を、分割した二次元の撮像領域により撮像して複数のハイビジョン映像信号を出力する。Ｉ／Ｆ装置３は、撮像装置２からの複数のハイビジョン映像信号を、所定の信号形態の画像データに変換する。画像データ処理装置４は、所定の信号形態の画像データに基づいて、複数のハイビジョン映像信号を合成したディジタル画像信号を生成する。これにより、短時間でハイビジョン方式よりも高解像度の写真並みの映画フィルムの各駒の画像を短時間で得ることができる。【選択図】            図１
2004166025.tif 000002
【特許請求の範囲】
【請求項１】
映画フィルムの各駒での移動停止と次の駒への移動とを交互に繰り返す間欠的移動動作を行う駆動手段を備え、前記映画フィルムに光を照射し、その映画フィルムの各駒の光像を形成するフィルム映写装置と、
前記映画フィルムの停止期間中の前記映画フィルムの各駒の光像を、分割した二次元の撮像領域により撮像して得た複数のハイビジョン映像信号を加算平均して出力する高精細撮像装置と、
前記高精細撮像装置から出力された複数のハイビジョン映像信号を、所定の信号形態の画像データに変換するインタフェース装置と、
前記所定の信号形態の画像データに基づいて、前記複数のハイビジョン映像信号を合成したディジタル画像信号を生成する画像データ処理装置と
を有することを特徴とするテレシネ装置。
【請求項２】
映画フィルムの各駒での移動停止と次の駒への移動とを交互に繰り返す間欠的移動動作を行う駆動手段と、前記映画フィルムの停止期間のみ前記光像を得る手段とを備え、停止期間中の前記映画フィルムの各駒の光像を形成するフィルム映写装置と、
前記映画フィルムの移動期間中の前記光像が無い状態で、分割した二次元の撮像領域により撮像して得られた第１の複数のハイビジョン映像信号を記憶する記憶手段と、前記映画フィルムの停止期間中の前記光像が得られる状態で、前記分割した二次元の撮像領域により撮像して得られた第２の複数のハイビジョン映像信号から前記記憶手段に記憶された第１の複数のハイビジョン映像信号を減算して第３の複数のハイビジョン映像信号を出力する減算手段とを備えた高精細撮像装置と、
前記高精細撮像装置から出力された前記第３の複数のハイビジョン映像信号を、所定の信号形態の画像データに変換するインタフェース装置と、
前記所定の信号形態の画像データに基づいて、前記第３の複数のハイビジョン映像信号を合成したディジタル画像信号を生成する画像データ処理装置と
を有することを特徴とするテレシネ装置。
【発明の詳細な説明】
【０００１】
【発明の属する技術分野】
本発明は映画用フィルムからディジタル映像信号を作成するテレシネ装置に係り、特にハイビジョン方式等の高画質テレビ（ＨＤＴＶ：Ｈｉｇｈ  Ｄｅｆｉｎｉｔｉｏｎ  ＴＶ）画像以上の画素数を持つ撮像装置を用いて、写真並みの高精細高画質の画像をディジタル映像信号に変換するテレシネ装置に関する。
【０００２】
【従来の技術】
図９は従来のテレシネ装置の一例の構成図を示す。同図において、フィルム映写装置１から映画フィルムの光像を出力し、これを撮像装置６にて撮像して映像信号Ｖｄａｔａに変換する。この映像信号Ｖｄａｔａは、画像データ処理装置４に供給されて所定の信号処理が行われる。画像データ処理装置４はパーソナルコンピュータ（ＰＣ）を主体に構成されており、例えば映像信号がＮＴＳＣ方式であれば映像信号取り込み用のキャプチャーボードＨＣ−１００（日本ビクター株式会社製）を用いてＰＣ本体に映像信号Ｖｄａｔａを取り込む。
【０００３】
ＰＣ本体では取り込んだ映像信号Ｖｄａｔａを所定の処理（例えば、直流成分、信号レベル、画像輪郭、色表現等）を行い、所定の処理が終了したら記録メディア（ＦＤ，ＣＤ等）に記録し、映画フィルム画像をディジタル映像信号として変換保存する。
【０００４】
ところで、例えば３５ｍｍ映画フィルムの解像度は３８４０×２０７０画素数といわれている（非特許文献１参照）。従って、撮像装置６として、ＮＴＳＣ方式用撮像装置（６４０×４８０画素）、あるいはＨＤＴＶ方式用撮像装置（１９２０×１０８０画素）で表現する画素数では、上記の映画フィルムの解像度に比べ不足しているのは明らかである。この為、従来は撮像装置６として画素数３８４０以上の高解像度ラインセンサを用いてライン毎に映画フィルムを撮像している。
【０００５】
【非特許文献１】
ＵＳＨＩＯ  ＬＩＧＨＴ  ＥＤＧＥ  １９、インターネット＜ＵＲＬ：ｈｔｔｐ：／／ｗｗｗ１．ｕｓｈｉｏ．ｃｏ．ｊｐ／ｔｅｃｈ／ｌｅ／ｌｅ１９／１９＿０２＿０８．ｈｔｍｌ＞
【０００６】
【発明が解決しようとする課題】
しかるに、上記の高解像度ラインセンサを用いて映画フィルムの光像をディジタル映像信号として得るためには、高解像度ラインセンサをライン毎に移動するため、撮像に長時間必要であり、このため、映画フィルムの固定を長時間行わなければならず、映画フィルム自体の振動ずれ等にも十分配慮しなければならなかった。
【０００７】
本発明は以上の点に鑑みなされたもので、映画フィルムの光像を、写真並みの高精細、高解像度のディジタル映像信号として短時間に得るテレシネ装置を提供することを目的とする。
【０００８】
【課題を解決するための手段】
上記の目的を達成するため、第１の発明のテレシネ装置は、映画フィルムの各駒での移動停止と次の駒への移動とを交互に繰り返す間欠的移動動作を行う駆動手段を備え、映画フィルムに光を照射し、その映画フィルムの各駒の光像を形成するフィルム映写装置と、映画フィルムの停止期間中の映画フィルムの各駒の光像を、分割した二次元の撮像領域により撮像して得た複数のハイビジョン映像信号を加算平均して出力する高精細撮像装置と、高精細撮像装置から出力された複数のハイビジョン映像信号を、所定の信号形態の画像データに変換するインタフェース装置と、所定の信号形態の画像データに基づいて、複数のハイビジョン映像信号を合成したディジタル画像信号を生成する画像データ処理装置とを有する構成としたものである。
【０００９】
また、上記の目的を達成するため、第２の発明のテレシネ装置は、映画フィルムの各駒での移動停止と次の駒への移動とを交互に繰り返す間欠的移動動作を行う駆動手段と、映画フィルムの停止期間のみ光像を得る手段とを備え、停止期間中の映画フィルムの各駒の光像を形成するフィルム映写装置と、映画フィルムの移動期間中の光像が無い状態で分割した二次元の撮像領域により撮像して得られた第１の複数のハイビジョン映像信号を記憶する記憶手段と、映画フィルムの停止期間中の光像が得られる状態で分割した二次元の撮像領域により撮像して得られた第２の複数のハイビジョン映像信号から記憶手段に記憶された第１の複数のハイビジョン映像信号を減算して第３の複数のハイビジョン映像信号を出力する減算手段とを備えた高精細撮像装置と、高精細撮像装置から出力された第３の複数のハイビジョン映像信号を、所定の信号形態の画像データに変換するインタフェース装置と、所定の信号形態の画像データに基づいて、第３の複数のハイビジョン映像信号を合成したディジタル画像信号を生成する画像データ処理装置とを有する構成としたものである。
【００１０】
この発明では、映画フィルムの移動期間中の光像が無い状態で撮像して第１の複数のハイビジョン映像信号を得て、それを映画フィルムの停止期間中の光像が得られる状態で撮像して得られた第２の複数のハイビジョン映像信号から減算して第３の複数のハイビジョン映像信号を出力するようにしたため、上記の第１の複数のハイビジョン映像信号は高精細撮像装置の暗電流成分、傷等を含んだ信号であるため、その影響の除去された撮像信号である第３の複数のハイビジョン映像信号を得ることができる。
【００１１】
また、上記の目的を達成するため、本発明のテレシネ装置は、第２の発明の高精細撮像装置を、第１の複数のハイビジョン映像信号及び第２の複数のハイビジョン映像信号をそれぞれ所定回数加算平均する加算平均手段を更に有し、記憶手段は加算平均手段により第１の複数のハイビジョン映像信号を加算平均して得られた第１の加算平均映像信号を記憶し、減算手段は加算平均手段により第２の複数のハイビジョン映像信号を加算平均して得られた第２の加算平均映像信号から第１の加算平均映像信号を減算するようにしたものである。この発明では、加算平均手段によりランダム雑音を低減できる。
【００１２】
また、上記の目的を達成するため、本発明のテレシネ装置は、上記の発明の加算平均手段による第１の複数のハイビジョン映像信号及び第２の複数のハイビジョン映像信号それぞれに対する加算平均を、高精細撮像装置から出力されるハイビジョン映像信号の垂直同期信号周期の整数倍の期間に行うことを特徴とする。
【００１３】
【発明の実施の形態】
次に、本発明の実施の形態について図面と共に説明する。図１は本発明になるテレシネ装置の一実施の形態の概略構成図を示す。同図において、まず、フィルム映写装置１から３５ｍｍ映画フィルム等の映画フィルム１６の光像が撮像装置２に照射される。撮像装置２は後述するように、映画フィルム１６の光像を同一平面上で４分割してハイビジョン直列信号ＨＤ０〜ＨＤ３に変換して映像信号Ｖｄａｔａとして出力する。
【００１４】
次に、インタフェース（Ｉ／Ｆ）３は映像信号Ｖｄａｔａを入力として受け、ハイビジョン直列信号ＨＤＯ〜ＨＤ３を並列ＲＧＢ信号に変換した後、画像データＰｄａｔａに波形整形して画像データ処理装置４に供給する。画像データ処理装置４は入力された画像データＰｄａｔａを直流成分、信号レベル、画像輪郭、色表現等の画像処理を行った後、ディジタル映像信号として記憶する。
【００１５】
また、画像データ処理装置４は各装置に駆動用制御信号ＣＴＬを送り、映画フィルム駒送りからディジタル映像信号を記憶するまでの一連の動作制御を行う。このようにした本実施の形態では、映画フィルム１６に焼き付けられている光像をディジタル映像信号として記憶する。記憶されたディジタル映像信号は、記録媒体（光ディスク、磁気テープ、磁気ディスク、ＬＳＩ等）に保存され必要に応じて表示装置で再現する。
【００１６】
図２は図１中のフィルム映写装置１の一例の詳細構成図を示す。図２において、供給リール１０に巻回されている映画フィルム１６は、繰り出されてガイドポール群１７、スプロケット１１、光学装置１２、スプロケット１１、ガイドポール群１７を経由して巻き取りリール１５に巻き取られる。映画フィルム１６が装着されると、駆動制御装置１８により供給リール１０、巻き取りリール１５を回転駆動制御して映画フィルム１６を供給リール１０から巻き取りリール１５方向へ移動させて、スプロケット１１で光学装置１２のシャッター部１３の位置に最初の映画フィルム１６の駒を静止させる。
【００１７】
次に、光源１４をオンにし、シャッター部１３を開くことにより映画フィルム１６の最初の駒の光像が出力される。次に、シャッター部１３を閉じ、光源１４をオフにして次の駒がシャッター部１３の位置にくるまで、映画フィルム１６を移動させてから静止させる。以下、同様にして順次映画フィルム１６の各駒の光像を出力する。これらの各駒の光像は、撮像装置２により撮像される。
【００１８】
図３は図１中の撮像装置２に用いられる高精細撮像素子の一例の構成図を示す。図３において、撮像素子の要部の画素構成部２１はＣＭＯＳで構成されており、水平方向に３８４０個、垂直方向に２１６０個の画素が二次元マトリクス状に配列されており、更に、駆動周波数を低くするために、水平方向に８分割されて８つの分割撮像領域Ｓ０〜Ｓ７のそれぞれから互いに独立に被写体光像を撮像して電気信号に変換する構成とされている。
【００１９】
従って、分割撮像領域Ｓ０〜Ｓ７の各々は、水平方向４８０画素、垂直方向２１６０画素であり、水平方向の画素数がＨＤＴＶ画像の１９２０画素の１／４倍であり、垂直方向の画素数がＨＤＴＶ画像の２１６０画素と同一画素数である。また、分割撮像領域Ｓ０〜Ｓ７は画素構成部２１を水平方向に８分割したもので、垂直方向には分割されておらず、垂直方向は連続して画素に照射された被写体光像の電気信号を出力する。
【００２０】
一方、画素構成部２１の各画素を選択する駆動部は、水平同期信号駆動部２２と垂直同期信号駆動部２３より構成される。水平同期信号駆動部２２は、８つの分割撮像領域Ｓ０、Ｓ１、・・・、Ｓ７に１対１に対応して、８個の水平アドレス回路Ｈａｄ０、Ｈａｄ１、・・・、Ｈａｄ７を有しており、水平同期信号ＨＤ、垂直同期信号ＶＤ及びクロックＣｌｏｃｋを入力として受け、対応する分割撮像領域Ｓ０、Ｓ１、・・・、Ｓ７に対して、同時に読み出しアドレスを出力する。従って、８個の水平アドレス回路Ｈａｄ０、Ｈａｄ１、・・・、Ｈａｄ７の各構成はそれぞれ同一である。
【００２１】
垂直同期信号駆動部２３は、水平同期信号ＨＤ、垂直同期信号ＶＤ及びクロックを入力として受け、かつ、スタートアドレスＶａｄｓとエンドアドレスＶａｄｅを外部より指定できる構成とされており、これにより、画素構成部２１の８つの分割撮像領域Ｓ０〜Ｓ７に対して共通の読み出しライン位置と読み出し範囲を任意に制御できる。上記の画素構成部２１、水平同期信号駆動部２２、垂直同期信号駆動部２３、ＣＤＳ回路２４は、同一の大規模半導体集積回路（ＬＳＩ）基板上に搭載されており、後述のオフセット／ゲイン回路２５と共に、撮像素子であるＣＭＯＳセンサを構成している。
【００２２】
次に、この撮像装置２の動作について説明する。まず、垂直同期信号駆動部２３に対し、任意のスタートアドレスＶａｄｓ及びエンドアドレスＶａｄｅを外部より指定する。これにより、画素構成部２１は、８つの分割撮像領域Ｓ０〜Ｓ７の上記アドレスＶａｄｓ及びＶａｄｅに対応した領域のラインが垂直方向に連続に駆動される。また、相隣る垂直同期信号の間の映像信号範囲に、撮像信号が画素構成部２１から出力されるように、各駆動信号のタイミングが設定される。すなわち、画素構成部２１の指定したスタートアドレスＶａｄｓから撮像信号が垂直同期信号の直後から読み出され、エンドアドレスＶａｄｅが垂直同期信号の帰線期間前になるように設定され、撮像信号読み出しはエンドアドレスＶａｄｅで終了する。
【００２３】
また、撮像素子の駆動周波数は一定の方が画質の安定を図れ望ましいので、ライン数の増減により、垂直同期信号駆動部２３から出力される垂直同期信号周波数を変化させる。例えば、４ｋラインを読み出す垂直同期信号周波数を１５Ｈｚとすると、３ｋラインを読み出す垂直同期信号周波数は２０Ｈｚ、２ｋラインを読み出す垂直同期信号周波数は３０Ｈｚとなる。このときの各画素の駆動周波数は、ＨＤＴＶ方式のそれの半分の周波数３７．１２５ＭＨｚ（＝７４．２５ＭＨｚ／２）となる。この駆動周波数が現在のＣＭＯＳセンサを直接駆動するのに最も適している。
【００２４】
図３の画素構成部２１を構成する８つの分割撮像領域Ｓ０〜Ｓ７のそれぞれは、垂直方向はスタートアドレスＶａｄｓからエンドアドレスＶａｄｅまでのライン範囲で連続して、かつ、水平方向はそれぞれ５１２画素の領域で被写体光像の光量に応じた電荷を発生して電気信号に変換し、ライン数に応じた周波数の垂直同期信号に基づいて、所定の順番でアナログ電気信号を並列に同時出力する。
【００２５】
画素構成部２１から８並列出力された電気信号は、図３の相関二重サンプリング（ＣＤＳ：Ｃｏｒｒｅｌａｔｅｄ  Ｄｏｕｂｌｅ  Ｓａｍｐｌｉｎｇ）回路２４に供給される。ＣＤＳ回路２４は、画素構成部２１に被写体光像を照射して得られた電気信号を、その容量に蓄積しておき、この蓄積電気信号と、画素蓄積部２１のリセット直後で被写体光像の蓄積が無い場合の電気信号とを同時に加えて比較し、それらの差分を被写体光像分の電気信号として出力する。これにより、各画素間のばらつきが低減される。
【００２６】
ＣＤＳ回路２４において８並列入力された電気信号は、各々独立に各画素間のばらつきが上記の如くにして低減された後、オフセット／ゲイン回路２５に供給され、ここで外部からのデータにより制御に基づき、画素構成部２１の設計時の標準値を基にして、８つの各分割撮像領域からの各電気信号を別々に測定しながら、それらが一定値となるように、直流成分と利得を制御して揃えた撮像信号が得られる。
【００２７】
オフセット／ゲイン回路２５から並列に取り出された８つの撮像信号は、Ａ／Ｄ変換器２６に供給され、ここで別々にディジタル信号Ｄ０〜Ｄ７に変換された後、図示しないクランプ回路へ出力されてクランプされた後、出力される。
【００２８】
図４（Ａ）は図１中の撮像装置２の一例のブロック図を示す。図４（Ａ）において、被写体（映画フィルムの光像）はレンズ３１により撮像素子３２に結像される。撮像素子３２は、図３に示した構成であり、前述したように図４（Ｂ）に示す８つの分割撮像領域Ｓ０〜Ｓ７のそれぞれから互いに独立に被写体光像を撮像して、図４（Ｃ）に示すように８組のディジタル撮像信号Ｄ０〜Ｄ７が並列に取り出されて信号処理装置３３に送られる。
【００２９】
信号処理装置３３は並列に入力された８組のディジタル撮像信号Ｄ０〜Ｄ７に対して、暗電流補正・白傷補正・利得調整・色差変換等の信号処理を行ってから配列変換装置３４に供給する。この信号処理装置３３は、例えば図５のブロック図に示す構成とされている。同図において、上記の８組のディジタル撮像信号Ｄ０〜Ｄ７は加算平均回路３３１に供給される。また、図１に示した画像データ処理装置４から制御信号ＣＴＬが図５の信号処理装置３３内の光遮断時データ記録部３３２に供給される。上記の制御信号ＣＴＬは、図６に示すようなパルスであり、ローレベルの期間では図２に示した映画フィルム１６が移動中で光源１４は発光が停止され、シャッター部１３も閉じられており、この間は撮像装置２には映画フィルム１６の光像は供給されない。従って、撮像装置２からは８組のディジタル撮像信号Ｄ０〜Ｄ７として暗部信号が出力されるから、この暗部信号を加算平均回路３３１において、例えば４回加算平均して、ランダム雑音を除去した平均化暗部信号を図５に示す光遮断時データ記録部３３２に記録する。
【００３０】
また、図２に示した映画フィルム１６が所定位置に到達し制御信号ＣＴＬが図６に示すようにハイレベルになると、映画フィルム１６が図２に示した光学装置１２内で固定され、光源１４が発光しシャッター部１３も開けられるから、撮像装置２に映画フィルム１６の光像が供給され、撮像装置２からは８組のディジタル撮像信号Ｄ０〜Ｄ７として画像信号が出力されるから、この画像信号を暗部信号と同じ回数、加算平均回路３３１において加算平均して図５に示すデータ減算回路３３３に送る。なお、暗部信号及び撮像信号共に加算平均回路３３１における加算平均回数１回当たり１ＶＤ期間要するものとする。
【００３１】
そして、データ減算回路３３３において、加算平均した撮像信号（画像信号）から光遮断時データ記録部３３２からの加算平均した暗部信号が減算されることにより、映画フィルム１６の良好な撮像信号が得られる。すなわち、暗部信号には撮像素子３２の暗電流成分、傷等が含まれており、これらを予め記憶しデータ減算回路３３３において撮像信号から差し引くことにより画質劣化を防ぐことができる。
【００３２】
データ減算回路３３３から取り出された撮像信号は、白傷・カラムエラー補正回路３３４において白傷やカラムエラーの補正処理が行われた後、ガンマ・ゲイン等画像処理回路３３５にてガンマ補正やゲイン調整等が行われ、信号処理データＤ０’〜Ｄ７’として出力される。なお、加算平均の回数は撮像装置３２のランダム雑音の量によるが一般的には４〜８の間とすれば十分である。加算平均によるランダム雑音の低下はほぼ回数に比例し２回で６ｄＢ、４回で１２ｄＢがおよその目安である。
【００３３】
再び図４に戻って説明するに、信号処理装置３３から出力されたディジタル撮像信号（画像データ）Ｄ０’〜Ｄ７’は、配列変換装置３４に供給される。配列変換装置３４は入力ディジタル撮像信号を記憶した後、図４（Ｄ）に示すように、縦横各２分割された４分割信号ＨＤ０〜ＨＤ３を並列に出力する。
【００３４】
この４分割信号ＨＤ０〜ＨＤ３は、各々１９２０×１０８０画素のＨＤＴＶ用ディジタル並列信号である（ＢＴＡＳ−００４Ｂ準拠）。各々図４（Ｄ）にＨＤ０〜ＨＤ３で示すＨＤＴＶ画像を示す上記の４分割信号ＨＤ０〜ＨＤ３は、同図（Ｅ）に示すように互いに並列に、かつ、各々並列に配列変換装置３４からＳＤＩ変換装置３５へ供給され、ここで４組並列の信号が各組直列のＳＤＩ信号に変換されてカメラ出力信号とされる。ＳＤＩ信号は、周知のように、放送技術開発協議会（ＢＴＡ：Ｂｒｏａｄｃａｓｔｉｎｇ  Ｔｅｃｈｎｏｌｏｇｙ  Ａｓｓｏｃｉａｔｉｏｎ）による規格ＢＴＡＳ−００２Ｂの直列ディジタルハイビジョン信号である。
【００３５】
図７は図１中のＩ／Ｆ装置３の一実施の形態の詳細ブロック図を示す。Ｉ／Ｆ装置３は、撮像装置２から出力されたディジタル撮像信号Ｖｄａｔａ、すなわち、図４に示したように４並列ディジタル直列信号ＨＤ０〜ＨＤ３を入力として受け、各組のディジタル直列信号毎に色差変換回路３０１−０〜３０１−３でディジタル直列信号がディジタル並列信号に変換されると共に、色差信号が加法混色の三原色である赤色（Ｒ）信号、緑色（Ｇ）信号及び青色（Ｂ）信号からなるＲＧＢ信号に変換される。
【００３６】
色差変換回路３０１−０〜３０１−３の各々では、入力されたディジタル直列信号ＨＤ０〜ＨＤ３のいずれかから水平同期信号ＨＤ、垂直同期信号ＶＤ、クロックＣｌｏｃｋを抽出し、これを書き込みアドレス発生回路３０４に送り、書き込みアドレスＷａｄを作成する。色差変換回路３０１−０〜３０１−３から出力された４並列のＲＧＢ信号ＲＧＢ０〜ＲＧＢ３は、時間軸変換回路３０２に供給され、またこれと同時に、書きこみアドレスＷａｄがアドレス選択回路３０５経由で時間軸変換回路３０２に供給され、一画面分の４並列のＲＧＢ信号ＲＧＢ０〜ＲＧＢ３が記憶される。
【００３７】
次に、読み出しアドレス発生回路３０６から読み出しアドレスＲａｄを発生し、アドレス選択回路３０５経由で時間軸変換回路３０２に記憶された一画面分の４並列のＲＧＢ信号を順次Ｒｄａｔａとして読み出す。この読み出しアドレスＲａｄは、図１に示した画像データ処理装置４から送られてくる制御信号ＣＴＬに基づくもので、ＰＣ用Ｉ／Ｆ装置３０３を介してクロックＣｌｏｃｋ及び読み出し／書き込み制御信号Ｒ／Ｗを読み出しアドレス発生回路３０６に供給することで生成される。また、ＰＣ用Ｉ／Ｆ装置３０３は上記の読み出しデータＲｄａｔａを波形整形し、処理用の画像データＰｄａｔａを生成して画像データ処理装置４に供給する。
【００３８】
次に、本実施の形態の動作例について、図８等と共に説明する。画像データ処理装置４より出力される図８（Ａ）に示す制御信号ＣＴＬにより、制御信号ＣＴＬのローレベル期間は、図１及び図２のフィルム映写装置１内の映画フィルム１６の移動中であり、このフィルム移動期間は暗部信号を前述した撮像装置２内の光遮断時データ記録部３３２に加算平均して記録しておく。
【００３９】
次に、制御信号ＣＴＬがハイレベルになると、映画フィルム１６が固定されフィルム映写装置１内の光源１４が発光されるから、映画フィルム１６の駒に応じた光像の撮像信号が得られる。この撮像信号を撮像装置２内の加算平均回路３３１で加算平均した後のＶＤ期間において、先に光遮断時データ記録部３３２に記憶した暗部信号をデータ減算回路３３３で差し引いて、図８（Ｂ）に示すように、真のフィルム画像データであるディジタル撮像信号Ｖｄａｔａ（ＨＤ０〜ＨＤ３）を得る。
【００４０】
この４並列のディジタル撮像信号Ｖｄａｔａは、Ｉ／Ｆ装置３により前述した画像データＰｄａｔａに変換された後、映画フィルム１６の次の１駒のディジタル撮像信号Ｖｄａｔａ（ＨＤ０〜ＨＤ３）ができるまでに、図８（Ｃ）にＰＣ転送期間で示した期間で画像データ処理装置４に転送される。画像データ処理装置４は、入力された画像データＰｄａｔａを表示部に画像表示する。表示部に表示される画像は、水平方向３８４０画素、垂直方向２１６０画素で、水平方向及び垂直方向共にＨＤＴＶ画像の画素数の２倍の画素数であるため、写真並みの極めて高解像度、高精細の画像である。
【００４１】
ここで、上記の制御信号ＣＴＬの周期は撮像装置２のＶＤ期間の整数倍となるよう設定される。例えば、加算平均回路３３１における加算平均回数を４とすると前後の処理時間を１Ｔｖｄ（Ｔｖｄは１ＶＤ期間）ずつとして暗部信号の処理時間は６Ｔｖｄ、撮像信号の処理時間も６Ｔｖｄとなるから、この場合、制御信号ＣＴＬの一周期及び映画フィルム１６の１駒の処理時間は、それぞれ１２Ｔｖｄ（＝６Ｔｖｄ×２）となり、Ｔｖｄは１／３０秒であるから０．４（＝１２／３０）秒となる。従って、この場合、映画フィルムの１駒当りの処理時間は０．４秒と高速な処理時間が得られる。
【００４２】
また、上記の加算平均回数を２回とすれば、前後の処理時間を１Ｔｖｄずつとして、映画フィルム１６の１駒の処理時間は８Ｔｖｄ（＝４Ｔｖｄ×２）となり、映画フィルムの１駒当りの処理時間は０．２７（＝８／３０）秒となり、更に早くなる。これらの加算平均回数はフィルム映写装置１の振動等の影響を加味した形で設定すればよい。
【００４３】
【発明の効果】
以上説明したように、本発明によれば、高精細撮像装置から取り出された映画フィルムの一駒の画像に関する複数のハイビジョン映像信号を、インタフェース装置を通して画像データ処理装置に供給してそれらを合成したディジタル画像信号を得ることにより、映画フィルムの光像を撮像した、ハイビジョン方式（ＨＤＴＶ方式）の画像よりも高解像度のディジタル画像信号を得るようにしたため、映画フィルムの各駒の画像を写真並みの高画質、高解像度で得ることができる。
【００４４】
また、本発明によれば、高精細撮像装置は、二次元マトリクス状に画素が配列された構成であるため、高解像度ラインセンサをライン毎に移動して高解像度の映像信号を得る場合に比べて、短時間で高画質なディジタル映像信号を得ることができる。
【図面の簡単な説明】
【図１】本発明のテレシネ装置の一実施の形態の概略構成図である。
【図２】図１中のフィルム映写装置の一例の詳細構成図である。
【図３】図１中の撮像装置に用いられる高精細撮像素子の一例の構成図である。
【図４】図１中の撮像装置の一例のブロック図と各部の信号構成の説明図である。
【図５】図４中の信号処理装置の一例の詳細ブロック図である。
【図６】図５の信号処理装置のタイミングチャートである。
【図７】図１中のＩ／Ｆ装置の一実施の形態のブロック図である。
【図８】本発明の動作説明用タイミングチャートである。
【図９】従来のテレシネ装置の一例の基本構成を示す図である。
【符号の説明】
１  フィルム映写装置
２  撮像装置
３  Ｉ／Ｆ装置
４  画像データ処理装置
１０  供給リール
１１  スプロケット
１２  光学装置
１３  シャッター部
１４  光源
１５  巻き取りリール
１６  映画フィルム
１７  ガイドポール
１８  駆動制御装置
２１  画素構成部
２２  水平同期信号駆動部
２３  垂直同期信号駆動部
２６  Ａ／Ｄ変換器
３２  撮像素子
３３  信号処理装置
３４  配列変換装置
３５  ＳＤＩ変換装置
３０１−０〜３０１−３  色差変換回路
３０２  時間軸変換回路
３０３  ＰＣ用ＩＦ装置
３０４  書き込みアドレス発生回路
３０５  アドレス選択回路
３０６  読み出し発生回路
３３１  加算平均回路
３３２  光遮断時データ記録部
３３３  データ減算回路
【図１】
2004166025.tif 000003
【図２】
2004166025.tif 000004
【図３】
2004166025.tif 000005
【図４】
2004166025.tif 000006
【図５】
2004166025.tif 000007
【図６】
2004166025.tif 000008
【図７】
2004166025.tif 000009
【図８】
2004166025.tif 000010
【図９】
2004166025.tif 000011